(57)【特許請求の範囲】
【請求項１】
支持脚を有するフレームと、フレームの支持脚の下端部に取り付けられたキャスタと、長手方向を左右方向に向けた状態でフレームに固定状に設けられた灯具取付用の固定ビームと、固定ビームに左右方向に間隔をおいて取り付けられた複数の灯具とを備えており、
フレームの左右両端部に、それぞれ前後で対をなす２つの支持脚が設けられ、前側の左右両支持脚と後側の左右両支持脚との間に固定ビームが配置され、固定ビームに取り付けられた灯具の有効光照射部が各支持脚の上端部よりも下方に位置し、フレームの左端部の前後両支持脚が上端部から下端部に向かって左方に傾斜するとともに、同右端部の前後両支持脚が上端部から下端部に向かって右方に傾斜しており、各支持脚が、前方から見て固定ビームに取り付けられた左右方向に隣り合う灯具の有効光照射部間を通過している天然芝育成用照明装置。
【請求項２】
フレームにおける前側の左右両支持脚どうしおよび後側の左右両支持脚どうしが、灯具の有効光照射部からの光照射範囲よりも上方に外れた位置において補強連結部材により連結されている請求項１記載の天然芝育成用照明装置。
【請求項３】
フレームが、前後方向に間隔をおいて配置された１対のフレーム部材と、両フレーム部材の上部の左右両端寄りの部分間に長手方向を前後方向に向けて配置され、かつ両フレーム部材の上部どうしを連結する左右１対の連結部材とを備えており、フレーム部材が、左右方向の中央部が上方に突出したアーチ状であり、かつ下方に向かって左右方向外方に傾斜した左右両傾斜部を有し、当該傾斜部が支持脚となっている請求項１または２記載の天然芝育成用照明装置。
【請求項４】
フレーム部材が、上水平部と、上水平部の左右両端部に円弧部を介して連結された左右両傾斜部とよりなり、前後両フレーム部材の円弧部どうしが連結部材により連結されている請求項３記載の天然芝育成用照明装置。
【請求項５】
前後両フレーム部材が上方に向かって前後方向内側に傾斜している請求項３または４記載の天然芝育成用照明装置。
【請求項６】
フレームに、長手方向が左右方向に向きかつフレームに対して長手方向に進出・退入自在である少なくとも１つの灯具取付用の可動ビームが、固定ビームとは別個に設けられ、灯具が固定ビームおよび可動ビームに取り付けられ、可動ビームの進出方向前端部に、可動ビームの進出時に可動ビームの先端を支持する副支持脚が設けられるとともに、副支持脚の下端に可動ビーム案内用キャスタが取り付けられ、可動ビームの退入時に、副支持脚の可動ビーム案内用キャスタの下端が、支持脚の移動用キャスタの下端よりも上方に位置するようになされている請求項１〜５のうちのいずれかに記載の天然芝育成用照明装置。
【発明の詳細な説明】
【技術分野】
【０００１】
この発明は、たとえばサッカースタジアム、ラグビー競技場、陸上競技場、テニス競技場、野球場、ゴルフ場などのグランドに植えられている天然芝の維持管理に使用される天然芝育成用照明装置に関する。
【０００２】
この明細書および特許請求の範囲において、図１、図９および図３の上下、左右を上下、左右というものとし、図２、図１０および図４の下側（図５の右側）を前、これと反対側を後というものとする。
【背景技術】
【０００３】
上述したグランドに植えられている天然芝の維持管理は、従来、養生の際に太陽光により自然に育成することが一般的であった。しかしながら、太陽光による育成には時間がかかるという問題があった。しかも、スタンドや、屋根などの構築物が存在する場合には、長時間日陰となる部分が生じることを避け得ず、日当たりの悪い場所では天然芝の育成が遅くなるとともに、日当たりの良い場所と悪い場所では天然芝に育成むらが生じるという問題があった。
【０００４】
そこで、天然芝の育成の促進するとともに、育成むらの発生を抑制するために、上述した競技場の天然芝の養生の際に、天然芝に人工光を照射する装置が考えられている(特許文献１参照)。
【０００５】
特許文献１記載の装置は、６つの垂直状支持脚を有するフレームと、フレームの支持脚の下端部に取り付けられたキャスタと、フレームに設けられた灯具取付部と、灯具取付部に固定された複数の灯具とを備えており、フレームの左右両端部および左右方向の中央部に、それぞれ前後で対をなす２つの支持脚が設けられ、前側の３つの支持脚と後側の３つの支持脚との間に灯具取付部が固定状に設けられ、灯具取付部に取り付けられた灯具の有効光照射部が各支持脚の上端部と同一位置にあり、灯具から天然芝に人工光が照射されるようになっている。特許文献１記載の装置は、天然芝に人工光を照射する必要がない場合には収納庫に収納され、天然芝に人工光を照射する場合だけに、グランドの広さに応じた必要数の装置が天然芝上に配置されて用いられるものであり、支持脚下端のキャスタ装置を利用して収納庫と天然芝上との間で移動させられるようになっている。
【０００６】
しかしながら、特許文献１記載の装置の場合、照射範囲を広くするには装置全体を大型化するとともに重心が比較的高くなり、移動作業が面倒であるという問題がある。また、天然芝が植えられたグランドにおける装置の前後両側に支持脚の影ができ、影ができた部分の天然芝の育成に悪影響を及ぼすという問題がある。
【先行技術文献】
【特許文献】
【０００７】
【特許文献１】米国特許出願公開第２００１／００３５４６８号明細書
【発明の概要】
【発明が解決しようとする課題】
【０００８】
この発明の目的は、上記問題を解決し、特許文献１記載の装置に比べて移動作業が容易であるとともに、支持脚の影ができにくい天然芝育成用照明装置を提供することにある。
【課題を解決するための手段】
【０００９】
本発明は、上記目的を達成するために以下の態様からなる。
【００１０】
1)支持脚を有するフレームと、フレームの支持脚の下端部に取り付けられたキャスタと、長手方向を左右方向に向けた状態でフレームに固定状に設けられた灯具取付用の固定ビームと、固定ビームに左右方向に間隔をおいて取り付けられた複数の灯具とを備えており、
フレームの左右両端部に、それぞれ前後で対をなす２つの支持脚が設けられ、前側の左右両支持脚と後側の左右両支持脚との間に固定ビームが配置され、固定ビームに取り付けられた灯具の有効光照射部が各支持脚の上端部よりも下方に位置し、フレームの左端部の前後両支持脚が上端部から下端部に向かって左方に傾斜するとともに、同右端部の前後両支持脚が上端部から下端部に向かって右方に傾斜しており、各支持脚が、前方から見て固定ビームに取り付けられた左右方向に隣り合う灯具の有効光照射部間を通過している天然芝育成用照明装置。
【００１１】
2)フレームにおける前側の左右両支持脚どうしおよび後側の左右両支持脚どうしが、灯具の有効光照射部からの光照射範囲よりも上方に外れた位置において補強連結部材により連結されている上記1)記載の天然芝育成用照明装置。
【００１２】
3)フレームが、前後方向に間隔をおいて配置された１対のフレーム部材と、両フレーム部材の上部の左右両端寄りの部分間に長手方向を前後方向に向けて配置され、かつ両フレーム部材の上部どうしを連結する左右１対の連結部材とを備えており、フレーム部材が、左右方向の中央部が上方に突出したアーチ状であり、かつ下方に向かって左右方向外方に傾斜した左右両傾斜部を有し、当該傾斜部が支持脚となっている上記1)または2)記載の天然芝育成用照明装置。
【００１３】
4)フレーム部材が、上水平部と、上水平部の左右両端部に円弧状部を介して連結された左右両傾斜部とよりなり、前後両フレーム部材の円弧状部どうしが連結部材により連結されている上記3)記載の天然芝育成用照明装置。
【００１４】
5)前後両フレーム部材が上方に向かって前後方向内側に傾斜している上記3)または4)記載の天然芝育成用照明装置。
【００１５】
6)フレームに、長手方向が左右方向に向きかつフレームに対して長手方向に進出・退入自在である少なくとも１つの灯具取付用の可動ビームが、固定ビームとは別個に設けられ、灯具が固定ビームおよび可動ビームに取り付けられ、可動ビームの進出方向前端部に、可動ビームの進出時に可動ビームの先端を支持する副支持脚が設けられるとともに、副支持脚の下端に可動ビーム案内用キャスタが取り付けられ、可動ビームの退入時に、副支持脚の可動ビーム案内用キャスタの下端が、支持脚の移動用キャスタの下端よりも上方に位置するようになされている上記1)〜5)のうちのいずれかに記載の天然芝育成用照明装置。
【発明の効果】
【００１６】
上記1)〜6)の天然芝育成用照明装置によれば、フレームの左右両端部に、それぞれ前後で対をなす２つの支持脚が設けられ、前側の左右両支持脚と後側の左右両支持脚との間に長手方向を左右方向に向けた固定ビームが配置され、フレームの左端部の前後両支持脚が上端部から下端部に向かって左方に傾斜するとともに、同右端部の前後両支持脚が上端部から下端部に向かって右方に傾斜しているので、左右両端部の支持脚の下端部に設けられたキャスタ間の左右方向の間隔、および全灯具から発せられる光の照射範囲を特許文献１記載の装置と同一にした場合、高さを低くして重心を下げることができ、安定した移動が可能になって移動作業が容易になる。
【００１７】
また、固定ビームに取り付けられた灯具の有効光照射部が各支持脚の上端部よりも下方に位置し、各支持脚が、前方から見て固定ビームに取り付けられた左右方向に隣り合う灯具の有効光照射部間を通過しているので、グランドに植えられた天然芝に灯具から光を照射する場合に、装置の前後両側に支持脚の影ができにくくなる。したがって、支持脚の影に起因する天然芝の育成への悪影響を少なくすることが可能になる。
【００１８】
上記2)の天然芝育成用照明装置によれば、自重により左右の支持脚が左右方向外方に開くように変形することが防止される。
【００１９】
上記3)および4)の天然芝育成用照明装置によれば、左端部の前後両支持脚が上端部から下端部に向かって左方に傾斜するとともに、同右端部の前後両支持脚が上端部から下端部に向かって右方に傾斜したフレームを比較的簡単に構成することができる。
【００２０】
上記5)の天然芝育成用照明装置によれば、装置全体の重心を一層低くするととが可能となり、安定した移動が可能になって移動作業が一層容易になる。
【００２１】
上記6)の天然芝育成用照明装置によれば、天然芝の育成時には、可動ビームをフレームに対して進出させた状態で、可動ビームおよび固定ビームに取り付けられた灯具から天然芝に人工光を照射することができる。したがって、天然芝の育成をむらなく促進することができる。しかも、特許文献１記載の装置に比較して、１つの装置で人工光を照射することができる範囲が広くなり、大規模グランドの天然芝の育成に使用する場合にも使用する装置の数を少なくすることが可能になる。その結果、移動させる装置の数が少なくなって移動作業を比較的簡単に行うことができる。さらに、天然芝に人工光を照射する必要がない場合には、可動ビームをフレームに対して退入させることにより小型化を図ることが可能になるので、個々の装置の移動作業を比較的簡単に行うことができるとともに、競技場の天然芝の育成に必要な全装置を収納庫に収納する際の収納スペースを小さくすることができる。
【００２２】
また、装置の移動時に可動ビームをフレームに対して退入させた状態では、副支持脚の可動ビーム案内用キャスタの下端が主支持脚の下端よりも上方に位置するので、可動ビームのフレームに対する進出および退入をスムーズに行うことができるとともに、天然芝の傷みを抑制することができる。一方、可動ビームをフレームに対して進出させた状態では、支持脚および副支持脚によって支持されるので、天然芝に人工光を照射する際には装置全体を安定させることができる。
【００２３】
さらに、照射すべき人工光の光量子束密度や、人工光を照射すべき範囲に応じて、進出位置の他に、可動ビームを退入位置や、進出位置と退入位置との間の中間位置に移動させて人工光を照射することが可能になる。たとえば、サッカースタジアムのゴール前では特に天然芝の傷みが激しくなる傾向にあり、この部分の天然芝の育成の際には、照射すべき人工光の光量子束密度を高くすることが効果的であるが、この場合には、可動ビームを退入位置に移動させて人工光を照射することが好ましい。
【図面の簡単な説明】
【００２４】
【図１】この発明による天然芝育成用照明装置の全体構成を示し、可動ビームが退入位置にある状態の正面図である。
【図２】図１の天然芝育成用照明装置の全体構成を示し、可動ビームが退入位置にある状態の平面図である。
【図３】図１の天然芝育成用照明装置の全体構成を示し、可動ビームが進出位置にある状態の正面図である。
【図４】図１の天然芝育成用照明装置の全体構成を示し、可動ビームが進出位置にある状態の平面図である。
【図５】図１の天然芝育成用照明装置を示す可動ビームが退入位置にある状態の左側面図である。
【図６】図２のＡ−Ａ線拡大断面図である。
【図７】図５の部分拡大図である。
【図８】図７のＢ−Ｂ線矢視図である。
【図９】天然芝育成用照明装置の変形例を示す図１相当の図である。
【図１０】図９の天然芝育成用照明装置を示す図２相当の図である。
【発明を実施するための形態】
【００２５】
以下、この発明の実施形態を、図面を参照して説明する。
【００２６】
図１〜図５はこの発明の天然芝育成用照明装置を用いた天然芝育成用照明装置の全体構成を示し、図６〜図８はその要部の構成を示す。
【００２７】
以下の説明において、「アルミニウム」という用語には、純アルミニウムの他にアルミニウム合金を含むものとする。また、全図面を通じて同一物および同一部分には同一符号を付す。
【００２８】
図１〜図５において、天然芝育成用照明装置(1)は、移動自在のアルミニウム製フレーム(2)と、長手方向が左右方向を向きかつフレーム(2)に対して進出・退入自在に設けられた少なくとも１つ、ここでは２つの灯具取付用のアルミニウム製可動ビーム(3)と、長手方向を可動ビーム(3)の長手方向（左右方向）に向けた状態で、フレーム(2)に対して固定状に設けられた少なくとも１つ、ここでは１つの灯具取付用のアルミニウム製固定ビーム(4)とを備えている。
【００２９】
フレーム(2)は、前後方向に間隔をおいて配置された１対のアルミニウム製前後両フレーム部材(5)と、両フレーム部材(5)の上部の左右両端寄りの部分間に長手方向を前後方向に向けて配置され、かつ両フレーム部材(5)の上部どうしを連結する左右１対のアルミニウム製上連結部材(6)と、両フレーム部材(5)の下部の左右両端寄りの部分間に長手方向を前後方向に向けて配置され、かつ両フレーム部材(5)の下部どうしを連結する左右１対のアルミニウム製下連結部材(7)とからなる。
【００３０】
フレーム部材(5)は、横断面円形の中空状上水平部(5a)と、上水平部(5a)の左右両端部に横断面円形の中空状円弧部(5b)を介して連結され、かつ下方に向かって左右方向外方に傾斜した横断面円形の中空状左右両脚部(5c)とからなる。左右両脚部(5c)の長さは等しくなっている。両フレーム部材(5)は上方に向かって前後方向内側に若干傾斜しており、この状態で円弧部(5b)どうしが上連結部材(6)により連結され、両フレーム部材(5)の左右両脚部(5c)の下端寄りの部分どうしが下連結部材(7)により連結されている。上下両連結部材(6)(7)の前後両端部は、フレーム部材(5)に溶接により接合されている。両フレーム部材(5)の左右両脚部(5c)が、天然芝育成用照明装置(1)を支持する支持脚(8)となっており、支持脚(8)の下端に移動用キャスタ(9)が取り付けられている。フレーム部材(5)は、１本の円筒状アルミニウム押出形材を曲げることによって形成される場合と、複数の円筒状アルミニウム押出形材を溶接することによって形成される場合とがある。
【００３１】
フレーム(2)における前側の左右両支持脚(8)の上部どうしおよび後側の左右両支持脚(8)の上部どうし、すなわち各フレーム部材(5)の左右両脚部(5c)の上部どうしは、上連結部材(6)よりも下方の部分において横断面円形の中空状アルミニウム押出形材製補強連結部材(10)により連結されている。補強連結部材(10)は、天然芝育成用照明装置(1)の自重により左右両支持脚(8)が左右方向外方に開くように変形することを防止する機能を有する。また、フレーム(2)における前側の左右両支持脚(8)の下部どうしおよび後側の左右両支持脚(8)の下部どうし、すなわち各フレーム部材(5)の左右両脚部(5c)の下部どうしは、下連結部材(7)よりも下方の高さ位置において補助補強連結部材(11)によって連結されている。補助補強連結部材(11)も補強連結部材(10)と同様の機能を有するが、補強連結部材(10)の補助的なものであり、影ができにくいように補強連結部材(10)よりも細い形材や、ワイヤからなるものが用いられる。なお、補助補強連結部材(11)は必ずしも必要としない。
【００３２】
フレーム(2)に、長手方向が左右方向を向きかつ可動ビーム(3)を案内する２つのアルミニウム製レール(19)が、前後方向に間隔をおいて配置されている。レール(19)は、左右両端部がフレーム(2)から突出した状態でフレーム(2)の両上連結部材(6)の下面に溶接などの適当な方法により固定されている。可動ビーム(3)はレール(19)に対して相対的に移動し、レール(19)によって案内されるようになされている。ここで、前側の可動ビーム(3)は、図１〜図４の左側に進出するとともに、同図の右側に退入するので、当該可動ビーム(3)に関しては同図の左側が進出方向前端部（退入方向後端部）で、これとは反対側が進出方向後端部（退入方向前端部）である。また、後側の可動ビーム(3)は、図１〜図４の右側に進出するとともに、同図の左側に退入するので、当該可動ビーム(3)に関しては同図の右側が進出方向前端部（退入方向後端部）で、これとは反対側が進出方向後端部（退入方向前端部）である。
【００３３】
可動ビーム(3)は横断面Ｔ形であって、垂直壁におけるレール(19)よりも下方に突出した部分に、ＬＥＤチップが実装されたＬＥＤパッケージを有する複数のＬＥＤ灯具(21)が、左右方向に間隔をおいて着脱自在に取り付けられている。
【００３４】
固定ビーム(4)は、可動ビーム(3)と同様に横断面Ｔ形であって、水平壁の前後両側縁部が、それぞれ溶接などの適当な方法で前後のレール(19)に固定されており、これにより固定ビーム(4)がレール(19)を介してフレーム(2)に固定されている。したがって、固定ビーム(4)は、前後両フレーム部材(5)間、すなわち前側の左右両支持脚(8)と後側の左右両支持脚(8)との間に配置されている。また、固定ビーム(4)の垂直壁に、ＬＥＤチップが実装されたＬＥＤパッケージを有する複数のＬＥＤ灯具(21)が、左右方向に間隔をおいて着脱自在に取り付けられている。
【００３５】
図５に示すように、退入位置にある可動ビーム(3)のＬＥＤ灯具(21)の有効光照射部(21a)および固定ビーム(4)のＬＥＤ灯具(21)の有効光照射部(21a)は、支持脚(8)の上端よりも下方に位置する同一水平面上に位置している。フレーム(2)の前側の左右両支持脚(8)の上部どうしおよび後側の左右両支持脚(8)の上部どうしを連結する補強連結部材(10)は、ＬＥＤ灯具(21)の有効光照射部(21a)からの光照射範囲(R)（１２０〜１３５度程度）よりも上方に外れた高さ位置にある。また、図６に示すように、各支持脚(8)が、前方から見て固定ビーム(4)に取り付けられた左右方向に隣り合うＬＥＤ灯具(21)の有効光照射部(21a)間を通過している。なお、ＬＥＤ灯具(21)の下部には、下方に開口しかつＬＥＤチップが実装されたＬＥＤパッケージを収容する凹所(21b)が設けられており、当該凹所(21b)の下方への開口が有効光照射部(21a)となっている。凹所(21b)の下方への開口は、透明パネルで覆われていることが好ましい。
【００３６】
フレーム(2)の支持脚(8)に取り付けられた移動用キャスタ(9)は、支持脚(8)の下端に固定された水平板状の車輪取付部材(12)と、車輪取付部材(12)の下面に設けられた１つの車輪支持枠(13)と、支持枠(13)に、前後方向を向いた同一水平軸線の周りに回転するように取り付けられた２つの車輪(14)とを備えている。左側の２つの支持脚(8)には、移動用ハンドル(15)が設けられている。
【００３７】
可動ビーム(3)の進出方向前端部には、可動ビーム(3)の進出時に可動ビーム(3)の先端を支持するアルミニウム製副支持脚(16)が設けられており、副支持脚(16)の下端に可動ビーム案内用キャスタ(17)が取り付けられている。可動ビーム(3)の退入時には、副支持脚(16)の可動ビーム案内用キャスタ(17)の下端が支持脚(8)の移動用キャスタ(9)の下端よりも上方に位置するようになされている。副支持脚(16)に、可動ビーム(3)を退入位置と進出位置との間で移動させる際につかむ把手(18)が取り付けられている。
【００３８】
ここで、副支持脚(16)における可動ビーム(3)の水平壁上面から可動ビーム案内用キャスタ(17)の後述する車輪(24)の下端までの垂直距離は、支持脚(8)における可動ビーム(3)の水平壁上面から移動用キャスタ(9)の車輪(14)の下端までの垂直距離よりも短くなっている。
【００３９】
図５、図７および図８に示すように、可動ビーム案内用キャスタ(17)は、可動ビーム(3)の副支持脚(16)の下端に固定された前後方向に長い水平板状の車輪取付部材(22)と、車輪取付部材(22)の下面に前後方向に間隔をおいて設けられた２つの車輪取付枠(23)と、両車輪取付枠(23)に、それぞれ前後方向を向いた同一の水平軸線の周りに回転するように取り付けられた１つの車輪(24)と、両車輪取付枠(23)の前後方向外側に設けられた２つのアウトリガー(25)とを備えている。
【００４０】
各アウトリガー(25)は、車輪取付部材(22)に上下動自在に取り付けられた丸棒からなる垂直状昇降部材(26)と、昇降部材(26)を上下動させる操作部材(27)と、昇降部材(26)の下端に取り付けられ、かつ天然芝が植えられた地面に突き刺さる複数の支持ピン(29)を有する支持部材(28)とを備えている。２つのアウトリガー(25)は、車輪(24)の回転中心である水平軸線が延びる方向(左右方向)に間隔をおいて設けられており、両アウトリガー(25)の昇降部材(26)が、平面から見て、両アウトリガー(25)の昇降部材(26)間を結ぶ水平直線の中点を中心とする仮想円における１つの直径上に位置している。
【００４１】
車輪取付部材(22)の前後両端部に軸線方向が垂直方向を向いたナット(31)が固定されるとともに、昇降部材(26)の外周面にナット(31)のめねじに螺合するおねじが形成されており、昇降部材(26)がナット(31)にねじ嵌められることによって昇降部材(26)が回転すると車輪取付部材(22)に対して上下動するようになっている。操作部材(27)は、昇降部材(26)の上端部に設けられ、かつ昇降部材(26)を垂直軸線の周りに回転させるハンドル(27a)およびハンドル(27a)に設けられた起倒自在の把手(27b)とからなる。
【００４２】
支持部材(28)は、昇降部材(26)と一緒に上下動するとともに、昇降部材(26)に対して相対的に垂直軸線周りに回転しうるように、伝動連結手段(32)を介して昇降部材(26)に取り付けられている水平板状のピン保持部材(33)を備えており、ピン保持部材(33)に、複数、ここでは３つの支持ピン(29)からなる１つのピン群(29A)が設けられている。
【００４３】
支持部材(28)のピン保持部材(33)を昇降部材(26)に取り付ける伝動連結手段(32)の詳細な説明は省略する。
【００４４】
ピン保持部材(33)のピン群(29A)の全支持ピン(29)は、下方に向かって大径となった１つの円錐面上に位置するように、ピン保持部材(33)の下面に周方向に間隔をおいて設けられている。ピン群(29A)の全支持ピン(29)の長手方向中間部分を外側から囲むように１つの開き防止用リング(44)が配置され、ピン群(29A)の全支持ピン(29)と開き防止用リング(44)とが溶接などにより固定されている。開き防止用リング(44)は、支持ピン(29)がグランド中に深く突き刺さりすぎるのを防止する機能を有する。
【００４５】
なお、図示は省略したが、電力を外部電源からＬＥＤ灯具(21)に供給する電力供給用キャブタイヤコードが、ＬＥＤ灯具(21)の上方に配置されていることが好ましい。また、図示は省略したが、支持脚(8)および副支持脚(16)におけるＬＥＤ灯具(21)よりも下方に位置する部分に、７０％以上の反射率を有する塗料、たとえば硫酸バリウム系、酸化チタン系の白色塗料が塗布されていることが好ましい。
【００４６】
可動ビーム(3)は、フレーム(2)に対して、図１および図２に示す退入位置と、図３および図４に示す進出位置との間で移動する。
【００４７】
可動ビーム(3)が退入位置にあるときには、副支持脚(16)における可動ビーム(3)の上面から可動ビーム案内用キャスタ(17)の車輪(24)の下端までの垂直距離が、支持脚(8)における可動ビーム(3)の上面から移動用キャスタ(9)の車輪(14)の下端までの垂直距離よりも短くなっていることによって、副支持脚(16)の可動ビーム案内用キャスタ(17)の車輪(24)の下端が支持脚(8)の移動用キャスタ(9)の車輪(14)の下端よりも上方に位置するようになされている。
【００４８】
さらに、可動ビーム(3)が退入位置にあるときには、可動ビーム案内用キャスタ(17)のアウトリガー(25)の昇降部材(26)が、車輪取付部材(22)に対して最も上昇した上昇位置にある。
【００４９】
上述した天然芝育成用照明装置(1)は、不使用時には可動ビーム(3)が退入位置に移動させられた状態で収納庫などに収納されている。この状態では、可動ビーム(3)が進出位置にあるときに比較して天然芝育成用照明装置(1)の全長が短くなるので、収納スペースの省スペース化を図ることができる。
【００５０】
競技場の天然芝の養生の際に、天然芝にＬＥＤ灯具(21)から人工光を照射する必要が生じた際には、収納時と同様に可動ビーム(3)を退入位置に移動させるとともに、可動ビーム案内用キャスタ(17)の昇降部材(26)を車輪取付部材(22)に対して最も上昇した上昇位置に移動させた状態で、フレーム(2)の支持脚(8)の移動用キャスタ(9)を利用して競技場のグランドまで動かす。ついで、グランドの大きさに応じた必要数の天然芝育成用照明装置(1)をグランドに配置した後、可動ビーム案内用キャスタ(17)を利用して可動ビーム(3)を進出位置まで移動させる。可動ビーム(3)が最も進出した位置に至るまでの間に、可動ビーム(3)が重力により進出方向前端部が下方に移動するように傾き、副支持脚(16)の可動ビーム案内用キャスタ(17)の車輪(24)が接地するので、その後は車輪(24)に案内されて最も進出した位置に至る。
【００５１】
この状態で、可動ビーム案内用キャスタ(17)のアウトリガー(25)の操作部材(27)により昇降部材(26)を垂直軸線の周りに回転させ、昇降部材(26)を車輪取付部材(22)に固定されたナット(31)に対して相対的に下降させる。アウトリガー(25)の支持部材(28)のピン保持部材(33)は昇降部材(26)とともに下降し、支持ピン(29)の先端が天然芝が植えられているグランドの地面に当たると、ピン保持部材(33)が昇降部材(26)に対して上方に移動する。昇降部材(26)を回転させることにより車輪取付部材(22)に固定されたナット(31)に対してさらに下降させると、ピン保持部材(33)は昇降部材(26)に対して回転することなく下方に押され、ピン保持部材(33)および支持ピン(29)が下降して支持ピン(29)の先端がグランド中の所定深さまで突き刺さり、開き防止用リング(44)が接地することにより支持ピン(29)の先端の下降が停止させられる。開き防止用リング(44)が地面に接地した以降は、それ以上深くは支持ピン(29)が地面に突き刺さることはなく、支持ピン(29)の突き刺し深さが深くなりすぎることが防止される。支持ピン(29)の先端がグランド中の所定深さまで至ると、可動ビーム案内用キャスタ(17)の車輪(24)が地面から持ち上げられる。したがって、副支持脚(16)にかかる荷重が、車輪(24)ではなくピン群(29A)の複数の支持ピン(29)により支持されることになり、車輪(24)による天然芝やグランドの損傷を抑制することが可能になる。このとき、開き防止リング(44)によりピン群(29A)の全支持ピン(29)の外側への開きが防止され、支持ピン(29)の破損が防止される。
【００５２】
この状態で、可動ビーム(3)および固定ビーム(4)に取り付けられたＬＥＤ灯具(21)により天然芝に人工光を照射する。このとき、各支持脚(8)が、前方から見て固定ビーム(4)に取り付けられた左右方向に隣り合うＬＥＤ灯具(21)の有効光照射部(21a)間を通過しているので、固定ビーム(4)に取り付けられたＬＥＤ灯具(21)から照射された人工光によって、天然芝が植えられたグランドにおけるフレーム(2)の前後両側に、支持脚(8)の影ができにくくなる。また、フレーム(2)の前側の左右両支持脚(8)の上部どうしおよび後側の左右両支持脚(8)の上部どうしを連結する補強連結部材(10)は、ＬＥＤ灯具(21)の有効光照射部(21a)からの光照射範囲(R)よりも上方に外れた高さ位置にあるので、天然芝が植えられたグランドにおけるフレーム(2)の前後両側に、補強連結部材(10)の影ができることが防止される。
【００５３】
なお、ＬＥＤ灯具(21)の高さ位置は、天然芝の育成に必要な光量子束密度を確保するために必要最少数のＬＥＤ灯具(21)を使用した上で、天然芝育成用照明装置(1)から発せられる光量子束密度を均一化しうる高さ位置としておく。天然芝への人工光の照射は、照射すべき人工光の光量子束密度や、人工光を照射すべき範囲に応じて、進出位置の他に、可動ビーム(3)を退入位置や、進出位置と退入位置との間の中間位置に移動させて人工光を照射してもよい。
【００５４】
天然芝への人工光の照射が終了すると、操作部材(27)により昇降部材(26)を、上述したナット(31)に対する下降の場合とは逆向きに垂直軸線の周りに回転させ、昇降部材(26)を車輪取付部材(22)に固定されたナット(31)に対して相対的に上昇させる。このとき、昇降部材(26)がピン保持部材(33)に対して相対的に回転するとともに、ピン保持部材(33)および支持ピン(29)が上昇させられて支持ピン(29)がグランドの地面から抜ける。ついで、昇降部材(26)を車輪取付部材(22)に対して最も上昇した上昇位置まで上昇させる。したがって、支持ピン(29)による天然芝の損傷を抑制することができる。
【００５５】
その後、可動ビーム(3)をフレーム(2)に対して退入させて副支持脚(16)の可動ビーム案内用キャスタ(17)の車輪(24)の下端を支持脚(8)の移動用キャスタ(9)の車輪(14)の下端よりも上方に移動させる。この状態で、フレーム(2)の支持脚(8)の移動用キャスタ(9)を利用して収納庫まで動かす。
【００５６】
図９および図１０は天然芝育成用照明装置の変形例を示す。
【００５７】
図９および図１０に示す天然芝育成用照明装置(50)の場合、フレーム(51)の各支持脚(8)の下端に取り付けられた移動用キャスタ(52)(53)は、支持脚(8)に固定された車輪取付部材(54)(55)と、車輪取付部材(54)(55)に水平軸線の周りに回転自在に取り付けられた車輪(56)(57)とよりなる。車輪(56)(57)は、芝地走行用タイヤ(58)を備えており、車輪取付部材(54)(55)から前後方向外方に突出した状態で車輪取付部材(54)(55)に取り付けられている。フレーム(51)の全支持脚(8)のうち左右いずれか一方、ここでは左側の前後両支持脚(8)に設けられた移動用キャスタ(52)の車輪(56)は、垂直軸線の周りに回動しうる転蛇自在な転蛇車輪である。図示は省略したが、左側の両支持脚(8)の車輪取付部材(54)に、垂直軸線の周りに揺動しうる揺動部材が取り付けられており、転蛇車輪(56)は、当該揺動部材に水平軸線の周りに回転自在に取り付けられている。揺動部材には前方に突出したアーム(59)が固定状に設けられるとともに、前後両アーム(59)の先端どうしが、前後両端が両アーム(59)に枢着された連結棒(61)によって連結されており、前後両転蛇車輪(56)が一緒に同方向に同角度転蛇されるようになっている。なお、フレーム(51)の全支持脚(8)のうち左右いずれか他方、ここでは右側の前後両支持脚(8)に設けられた移動用キャスタ(53)の車輪(57)の向きは変わらない。
【００５８】
また、フレーム(51)における転蛇車輪(56)が設けられた側の前後両支持脚(8)に跨って、牽引部材(62)が設けられている。牽引部材(62)は、前後の車輪取付部材(54)に固定されて前方に突出した前後１対のフレーム部材(63)と、両フレーム部材(63)の前端どうしを固定状に連結する連結部材(64)と、連結部材(64)の前後方向中央部に固定されて前方に突出した牽引棒(65)と、牽引棒(65)に設けられかつ図示しない牽引車両の連結器に着脱自在に連結される連結器(66)とよりなる。そして、図９および図１０に示す天然芝育成用照明装置(50)の移動は、牽引車両によって行われる。
【００５９】
その他の構成は、図１〜図８に示す天然芝育成用照明装置(1)と同様である。
【産業上の利用可能性】
【００６０】
この発明による天然芝育成用照明装置は、サッカースタジアム、ラグビー競技場、陸上競技場、テニス競技場、野球場などグランドに植えられている天然芝に人工光を照射する天然芝育成用照明装置に好適に用いられる。
【符号の説明】
【００６１】
(1)(50)：天然芝育成用照明装置
(2)(51)：フレーム
(3)：可動ビーム
(4)：固定ビーム
(5)：フレーム部材
(5a)：上水平部
(5b)：円弧部
(5c)：傾斜部
(6)：上連結部材
(8)：支持脚
(9)(52)(53)：移動用キャスタ
(10)：補強用連結部材
(16)：副支持脚
(17)：可動ビーム案内用キャスタ
(21)：ＬＥＤ灯具
(21a)：有効光照射部
(R)：光照射範囲
【図１】
0006787808.tif 000002
【図２】
0006787808.tif 000003
【図３】
0006787808.tif 000004
【図４】
0006787808.tif 000005
【図５】
0006787808.tif 000006
【図６】
0006787808.tif 000007
【図７】
0006787808.tif 000008
【図８】
0006787808.tif 000009
【図９】
0006787808.tif 000010
【図１０】
0006787808.tif 000011